(57)【要約】【課題】必要時に外装材の側面を補強することができ、少ない人手でも被梱包物を保護しつつ荷台からの積み下ろしを容易に行うことができるとともに、必要な構成材の量を減らしてコスト及び環境負荷を低減可能な梱包材を提供する。【解決手段】梱包材において、被梱包物１０の少なくとも側面の一部を覆い、被梱包物１０の上下方向に沿って第１の切り込み部１１１が形成された外装材１００と、外装材１００が第１の切り込み部１１１で切り離された状態で、かつ、外装材１００が被梱包物１０を梱包した状態を保持する梱包状態保持手段と、を備える。外装材１００には、外装材１００が第１の切り込み部１１１で切り離された状態で折り返し可能で、かつ、折り返されていない状態で被梱包物１０の側面の一部を覆う一対の折り返し部１２０が形成される。【選択図】図２
2018076089.tif 000002
【特許請求の範囲】
【請求項１】
被梱包物の少なくとも側面の一部を覆い、前記被梱包物の上下方向に沿って第１の切り込み部が形成された外装材と、
前記外装材の前記第１の切り込み部を挟んで配置される部分が前記第１の切り込み部で切り離された状態で、かつ、前記外装材が前記被梱包物を梱包した状態を保持する梱包状態保持手段と、を備え、
前記外装材に、前記外装材の前記第１の切り込み部を挟んで配置される部分が前記第１の切り込み部で切り離された状態において折り返し可能な一対の折り返し部が形成され、
一対の前記折り返し部は、折り返されていない状態で前記被梱包物の側面の一部を覆う梱包材。
【請求項２】
前記外装材の外側に掛け回されるバンドをさらに備え、
前記梱包状態保持手段は、前記バンドである請求項１に記載の梱包材。
【請求項３】
折り返された状態の前記折り返し部を前記バンドで保持可能である請求項２に記載の梱包材。
【請求項４】
前記外装材に、
前記第１の切り込み部の上端及び下端の一方又は両方で交わって配置された第２の切り込み部と、
一対の前記折り返し部の周囲に連続して配置されたベース部と、が形成され、
前記梱包状態保持手段は、前記ベース部である請求項１に記載の梱包材。
【請求項５】
前記被梱包物の上面を覆う上面部と前記外装材の上端部の外側に配置されるかぶせ部とを有するキャップ部材をさらに備え、
前記梱包状態保持手段は、前記キャップ部材である請求項１に記載の梱包材。
【請求項６】
前記外装材の表面に前記折り返し部を折り返す位置を示す折り返し線が設けられた請求項１から請求項５のいずれか一項に記載の梱包材。
【請求項７】
前記折り返し部は、前記上下方向において複数に分割して形成される請求項１から請求項６のいずれか一項に記載の梱包材。
【請求項８】
一対の前記折り返し部の一方と他方とで、前記上下方向における分割位置が異なる請求項７に記載の梱包材。
【請求項９】
前記折り返し部は、前記上下方向の下段の前記折り返し部の折り返し後の厚みが、前記上下方向の上段の前記折り返し部の折り返し後の厚みより大きくなるよう形成される請求項７又は請求項８に記載の梱包材。
【請求項１０】
前記外装材に、折り返し後の前記折り返し部の一部が差し込まれるスリットが形成された請求項１から請求項９のいずれか一項に記載の梱包材。
【発明の詳細な説明】
【技術分野】
【０００１】
この発明は、梱包材に関するものである。
【背景技術】
【０００２】
立設状態で使用される縦長形状の被梱包機器（被梱包物）の脚部を固定具によって固定して被梱包機器を載置固定する梱包用固定台と、被梱包機器を覆う直方体状の梱包用外装箱とを備える梱包装置（梱包材）において、梱包用外装箱（外装材）の一側面の両角部に固定される一対の長板状の補強材を設け、これらの補強材は、運搬車両の荷台への積み下ろしの際に梱包用外装箱の変形を抑え得る強度を有するものが知られている（例えば、特許文献１参照）。
【先行技術文献】
【特許文献】
【０００３】
【特許文献１】特開２００７−３２６６０８号公報
【発明の概要】
【発明が解決しようとする課題】
【０００４】
しかしながら、特許文献１に示されるような梱包材においては、外装材とは別に長板状の補強材を外装材の外側に固定して設けている。このため、被梱包物を運搬した後は廃却される包装材に必要な構成材の量が増加し、余計なコストがかかるともに、環境負荷が大きくなってしまう。
【０００５】
この発明は、このような課題を解決するためになされたものである。その目的は、補強のための専用の部材を追加することなく、荷台からの積み下ろし時等の必要時には外装材の側面を補強することができ、少ない人手でも被梱包物を保護しつつ積み下ろしを容易に行うことができるとともに、必要な構成材の量を減らしてコスト及び環境負荷を低減することが可能な梱包材を得ることにある。
【課題を解決するための手段】
【０００６】
この発明に係る梱包材においては、被梱包物の少なくとも側面の一部を覆い、前記被梱包物の上下方向に沿って第１の切り込み部が形成された外装材と、前記外装材の前記第１の切り込み部を挟んで配置される部分が前記第１の切り込み部で切り離された状態で、かつ、前記外装材が前記被梱包物を梱包した状態を保持する梱包状態保持手段と、を備え、前記外装材に、前記外装材の前記第１の切り込み部を挟んで配置される部分が前記第１の切り込み部で切り離された状態において折り返し可能な一対の折り返し部が形成され、一対の前記折り返し部は、折り返されていない状態で前記被梱包物の側面の一部を覆う構成とする。
【発明の効果】
【０００７】
この発明に係る梱包材においては、補強のための専用の部材を追加することなく、荷台からの積み下ろし時等の必要時には外装材の側面を補強することができ、少ない人手でも被梱包物を保護しつつ積み下ろしを容易に行うことができるとともに、必要な構成材の量を減らしてコスト及び環境負荷を低減することが可能であるという効果を奏する。
【図面の簡単な説明】
【０００８】
【図１】この発明の実施の形態１に係る梱包材と被梱包物とを示す分解斜視図である。
【図２】この発明の実施の形態１に係る梱包材で被梱包物を梱包した状態の斜視図である。
【図３】この発明の実施の形態１に係る梱包材で被梱包物を梱包した状態の正面図である。
【図４】この発明の実施の形態１に係る梱包材で被梱包物を梱包し折り返し部を折り返した状態の斜視図である。
【図５】この発明の実施の形態１に係る梱包材で被梱包物を梱包し折り返し部を折り返した状態の正面図である。
【図６】この発明の実施の形態１に係る梱包材で被梱包物を梱包し折り返し部を折り返した状態の横断面図である。
【図７】この発明の実施の形態１に係る梱包材で被梱包物を梱包し折り返し部を折り返した状態の縦断面図である。
【図８】この発明の実施の形態１に係る梱包材で梱包した被梱包物を運搬車両から積み下ろす際の状態の一例を示す概略図である。
【図９】この発明の実施の形態１に係る梱包材の第１の変形例を説明する横断面図である。
【図１０】この発明の実施の形態１に係る梱包材の第２の変形例を説明する横断面図である。
【図１１】この発明の実施の形態１に係る梱包材の第３の変形例を説明する横断面図である。
【図１２】この発明の実施の形態２に係る梱包材で被梱包物を梱包し折り返し部を折り返した状態の正面図である。
【図１３】この発明の実施の形態２に係る梱包材で被梱包物を梱包し折り返し部を折り返した状態の横断面図である。
【図１４】この発明の実施の形態３に係る梱包材で被梱包物を梱包し折り返し部を折り返した状態の横断面図である。
【図１５】この発明の実施の形態３に係る梱包材で被梱包物を梱包し折り返し部を折り返した状態の縦断面図である。
【図１６】この発明の実施の形態４に係る梱包材で被梱包物を梱包した状態の正面図である。
【図１７】この発明の実施の形態４に係る梱包材で被梱包物を梱包し折り返し部を折り返した状態の縦断面図である。
【図１８】この発明の実施の形態５に係る梱包材で被梱包物を梱包した状態の正面図である。
【図１９】この発明の実施の形態５に係る梱包材で被梱包物を梱包し折り返し部を折り返した状態の縦断面図である。
【図２０】この発明の実施の形態５に係る梱包材の変形例を説明する正面図である。
【図２１】この発明の実施の形態５に係る梱包材の変形例を説明する縦断面図である。
【図２２】この発明の実施の形態６に係る梱包材で被梱包物を梱包した状態の正面図である。
【図２３】この発明の実施の形態６に係る梱包材で被梱包物を梱包し折り返し部を折り返した状態の縦断面図である。
【図２４】この発明の実施の形態６に係る梱包材の変形例を説明する正面図である。
【図２５】この発明の実施の形態６に係る梱包材の変形例を説明する縦断面図である。
【図２６】この発明の実施の形態７に係る梱包材で被梱包物を梱包し折り返し部を折り返した状態の正面図である。
【図２７】この発明の実施の形態７に係る梱包材の変形例を説明する正面図である。
【図２８】この発明の実施の形態８に係る梱包材で被梱包物を梱包した状態の正面図である。
【図２９】この発明の実施の形態８に係る梱包材で被梱包物を梱包し折り返し部を折り返した状態の横断面図である。
【図３０】この発明の実施の形態８に係る梱包材の第１の変形例を説明する正面図である。
【図３１】この発明の実施の形態８に係る梱包材の第２の変形例を説明する正面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図１１は、この発明の実施の形態１に係るもので、図１は梱包材と被梱包物とを示す分解斜視図、図２は梱包材で被梱包物を梱包した状態の斜視図、図３は梱包材で被梱包物を梱包した状態の正面図、図４は梱包材で被梱包物を梱包し折り返し部を折り返した状態の斜視図、図５は梱包材で被梱包物を梱包し折り返し部を折り返した状態の正面図、図６は梱包材で被梱包物を梱包し折り返し部を折り返した状態の横断面図、図７は梱包材で被梱包物を梱包し折り返し部を折り返した状態の縦断面図、図８は梱包材で梱包した被梱包物を運搬車両から積み下ろす際の状態の一例を示す概略図、図９は梱包材の第１の変形例を説明する横断面図、図１０は梱包材の第２の変形例を説明する横断面図、図１１は梱包材の第３の変形例を説明する横断面図である。
【００１１】
図１に示すように、この発明の実施の形態１に係る梱包材１は、被梱包物１０を梱包するためのものである。ここでは、被梱包物１０が、例えば貯湯式給湯機である場合について説明する。梱包材１は、外装材１００、キャップ部材２００、梱包用固定台３００及び緩衝材４００を備えている。被梱包物１０である貯湯式給湯機は、梱包用固定台３００の上面に載置された状態で固定される。そして、梱包材１の外装材１００及びキャップ部材２００等により、被梱包物１０の側面及び上面が覆われて梱包が完成する。
【００１２】
さらに図２及び図３も参照しながら、梱包材１の構成について説明を続ける。梱包材１により被梱包物１０を梱包した状態において、外装材１００は、被梱包物１０の少なくとも側面の一部を覆うようにして設けられる。ここでは、外装材１００は、被梱包物１０の側面の全体を覆うようにして設けられている。また、ここで示す例においては、被梱包物１０である貯湯式給湯機は直方体状である。したがって、これに合わせて、外装材１００は中空の四角柱状を呈する。
【００１３】
梱包材１により被梱包物１０を梱包した状態において、外装材１００の上端部には、キャップ部材２００が配置される。キャップ部材２００は、上面部２１０及びかぶせ部２２０を備えている。かぶせ部２２０は、上面部２１０の外周縁部から下方に突出して設けられている。また、ここでは、かぶせ部２２０は、上面部２１０の外周縁部の全周にわたって設けられている。梱包材１により被梱包物１０を梱包した状態において、上面部２１０は、被梱包物１０の上面を覆う。また、梱包材１により被梱包物１０を梱包した状態において、かぶせ部２２０は、外装材１００の上端部の外側に配置される。
【００１４】
梱包材１の内側には、例えば、被梱包物１０の上端部と外装材１００及びキャップ部材２００とに接するようにして、緩衝材４００が配置されている。緩衝材４００は、被梱包物１０の上端部と外装材１００及びキャップ部材２００との間隙を部分的に埋めている。
【００１５】
梱包材１は、梱包用バンド５００をさらに備えている。梱包用バンド５００は、外装材１００の外側に掛け回されている。ここでは、梱包用バンド５００は、２本用いられている。梱包用バンド５００により、梱包用固定台３００と外装材１００とキャップ部材２００とが一体化された状態で固定される。
【００１６】
外装材１００には、第１の切り込み部１１１が形成されている。第１の切り込み部１１１は、外装材１００における被梱包物１０の上下方向に沿って配置されている。以降においては、外装材１００における被梱包物１０の上下方向を単に上下方向という。また、外装材１００の面上において上下方向と直交する方向を幅方向という。ここでは、第１の切り込み部１１１は、四角柱状の外装材１００の一側面に形成されている。そして、第１の切り込み部１１１は、外装材１００の当該側面の幅方向における中央に配置されている。
【００１７】
また、この実施の形態１に係る梱包材１においては、外装材１００に、第２の切り込み部１１２が形成されている。第２の切り込み部１１２は、第１の切り込み部１１１の上端及び下端の一方又は両方で交わって配置される。ここでは、第２の切り込み部１１２は、第１の切り込み部１１１の上端に交わって配置されたものと、第１の切り込み部１１１の下端に交わって配置されたものの２つが形成されている。これらの第２の切り込み部１１２は、外装材１００の当該側面の幅方向に沿って配置されている。
【００１８】
なお、第１の切り込み部１１１及び第２の切り込み部１１２は、一続きに連続した切り込み線であってもよいし、不連続に分割され、又は、断続的に設けられた、いわゆるミシン目であってもよい。なお、第１の切り込み部１１１及び第２の切り込み部１１２は、外装材１００の他の部分よりも切り離しが容易なように形成されていればよく、例えば、外装材１００の表裏を貫通していないケガキ線のような形態でも構わない。また、第１の切り込み部１１１及び第２の切り込み部１１２は、線状でなく一定の幅をもつ帯状であってもよい。
【００１９】
外装材１００には、一対の折り返し部１２０が形成されている。一対の折り返し部１２０のそれぞれは、外装材１００において、第１の切り込み部１１１及び上下の第２の切り込み部１１２により三方の境界部が規定された領域である。すなわち、折り返し部１２０は、第１の切り込み部１１１により幅方向における中央側の境界部が規定される。また、折り返し部１２０は、上側の第２の切り込み部１１２により上側の境界部が規定される。そして、折り返し部１２０は、下側の第２の切り込み部１１２により下側の境界部が規定される。なお、折り返し部１２０の幅方向における反中央側は、後述するベース部１３０と繋がっている。
【００２０】
一対の折り返し部１２０のそれぞれは、外装材１００の第１の切り込み部１１１を挟んで配置される部分が第１の切り込み部１１１で切り離された状態で折り返し可能である。そして、一対の折り返し部１２０のそれぞれは、折り返されていない状態では、被梱包物１０の側面の一部を覆っている。なお、この実施の形態１で示す例においては、上下の境界部が第２の切り込み部１１２により規定されている。このため、折り返し部１２０は、外装材１００の第１の切り込み部１１１を挟んで配置される部分が第１の切り込み部１１１で切り離され、さらに、外装材１００の第２の切り込み部１１２を挟んで配置される部分が第２の切り込み部１１２で切り離された状態において折り返し可能である。
【００２１】
外装材１００には、ベース部１３０が形成されている。ベース部１３０は、一対の折り返し部１２０の周囲に連続して配置されている。すなわち、この実施の形態１で示す例においては、ベース部１３０は、外装材１００の折り返し部１２０が形成された側面において、上側の第２の切り込み部１１２よりさらに上側の領域、下側の第２の切り込み部１１２よりさらに下側の領域、及び、折り返し部１２０より幅方向における反中央側の領域を合わせた領域である。
【００２２】
外装材１００の表面には、折り返し線１４０が設けられている。折り返し線１４０は、外装材１００の表面に例えば印刷して示してもよいし、他に例えばケガキ線又は浅いミシン目線等で示してもよい。折り返し線１４０は、折り返し部１２０を折り返す位置を示すものである。図１から図３においては、折り返し線１４０を、一点鎖線及び破線で示している。一点鎖線は山折り線である。破線は谷折り線である。
【００２３】
第１の切り込み部１１１及び第２の切り込み部１１２で外装材１００が切り離された状態で、一対の折り返し部１２０のそれぞれを折り返し線１４０に従って折り返すと、梱包材１は、図４から図７に示す状態になる。すなわち、それぞれの折り返し部１２０は、予め設定された幅で、交互に山折り、谷折りされ、蛇腹状に折りたたまれる。そうすると、外装材１００の一側面における幅方向の両縁部のそれぞれに上下方向にわたって、蛇腹状に折りたたまれた折り返し部１２０が配置される。
【００２４】
この際、図６に示すように、折り返し部１２０を折り返す幅ｗ１は、被梱包物１０の全幅Ｗｈｉの１／４以下とすることが好ましい。すなわち、ｗ１≦（１／４）＊Ｗｈｉとすることが好ましい。なお、折り返し線１４０は、折り返す部分の全体にわたってではなく、一部分、例えば折り返す部分の上端部及び下端部等だけに設けるようにしてもよい。
【００２５】
ここで、この発明の実施の形態１に係る梱包材１は、外装材１００の第１の切り込み部１１１を挟んで配置される部分が第１の切り込み部１１１で切り離された状態で、かつ、外装材１００が被梱包物１０を梱包した状態を保持する梱包状態保持手段を備えている。以下、梱包状態保持手段の具体的な構成について説明する。
【００２６】
まず、前述したように、梱包用バンド５００は、外装材１００の外側に掛け回され、梱包用固定台３００と外装材１００とキャップ部材２００とが一体化された状態で固定している。梱包用固定台３００には被梱包物１０が固定されているため、梱包用バンド５００により被梱包物１０に対する外装材１００の位置が固定される。したがって、第１の切り込み部１１１で外装材１００が切り離されても外装材１００が分解等することなく、外装材１００により被梱包物１０が梱包された状態が維持される。すなわち、梱包用バンド５００により被梱包物１０に対する外装材１００の位置を固定することで、梱包用バンド５００が梱包状態保持手段として働く。
【００２７】
また、前述したように、梱包材１により被梱包物１０を梱包した状態において、上面部２１０の外周縁部の全周にわたって設けられたかぶせ部２２０が、外装材１００の上端部の外側に配置される。この状態においては、外装材１００の上端部の全周にわたって、かぶせ部２２０により外側から抑えられている。このため、第１の切り込み部１１１で外装材１００が切り離されても外装材１００が分解等することなく、外装材１００により被梱包物１０が梱包された状態が維持される。すなわち、このようなかぶせ部２２０を備えたキャップ部材２００は、梱包状態保持手段として働く。
【００２８】
さらに、前述したように、外装材１００には、ベース部１３０が設けられている。このベース部１３０は、折り返し部１２０の周囲に連続して、すなわち、外装材１００の折り返し部１２０が形成された側面において、上側の第２の切り込み部１１２よりさらに上側及び下側の第２の切り込み部１１２よりさらに下側のそれぞれに、幅方向にわたって配置されている。そして、このように配置されたベース部１３０により、一対の折り返し部１２０の一方と他方の反中央側同士が接続されている。したがって、第１の切り込み部１１１で外装材１００が切り離されても外装材１００が分解等することなく、外装材１００により被梱包物１０が梱包された状態が維持される。すなわち、このように構成されたベース部１３０は、梱包状態保持手段として働く。
【００２９】
このように、この発明の実施の形態１に係る梱包材１は、外装材１００の第１の切り込み部１１１を挟んで配置される部分が第１の切り込み部１１１で切り離された状態で、かつ、外装材１００が被梱包物１０を梱包した状態を保持する梱包状態保持手段として梱包用バンド５００、キャップ部材２００及びベース部１３０を備えている。このため、第１の切り込み部１１１で切り離して折り返し部１２０を折り返しても、外装材１００が分解等することなく、外装材１００により被梱包物１０が梱包され、かつ、外装材１００の一側面における幅方向の両縁部のそれぞれに上下方向にわたって、蛇腹状に折りたたまれた折り返し部１２０が配置された状態を保持することができる。
【００３０】
なお、梱包状態保持手段の具体的な構成としては、以上で説明した梱包用バンド５００、キャップ部材２００及びベース部１３０のうちの少なくとも１つの構成を備えていればよい。
【００３１】
以上のように構成された梱包材１により、まず、一対の折り返し部１２０を折り返していない状態で被梱包物１０を梱包する。このようにすることで、外装材１００の折り返し部１２０が形成された側面において、ベース部１３０のみならず折り返し部１２０によっても被梱包物１０の側面の一部が覆われる。このため、被梱包物１０の側面のより広範囲を外装材１００により覆うことができる。そして、梱包材１で梱包された被梱包物１０を運搬車両の荷台に積載して運搬する。
【００３２】
運搬車両の荷台から梱包材１で梱包された被梱包物１０を下ろす、すなわち、「積み下ろし」する際には、まず、第１の切り込み部１１１及び第２の切り込み部１１２の一方又は両方がミシン目である場合には、ミシン目を切り離す。次に、第１の切り込み部１１１及び第２の切り込み部１１２で外装材１００が切り離された状態で、一対の折り返し部１２０のそれぞれを折り返し線１４０に従って折り返す。そして、図４から図７に示すように、外装材１００の一側面における幅方向の両縁部のそれぞれに上下方向にわたって、蛇腹状に折りたたまれた折り返し部１２０を配置する。
【００３３】
この状態においては、外装材１００の当該側面における幅方向の両縁部のそれぞれに、外装材１００が複数重ねられて厚みが増された補強部が形成される。この状態で、図８に示すように、運搬車両２０の荷台２１の縁部に折りたたまれた折り返し部１２０が当たるようにして荷台２１からずり下ろす。
【００３４】
この際、折り返し部１２０が折りたたまれて厚みが増された部分がクッションとなる補強部として働き、被梱包物１０にかかる応力を抑えることができる。その結果として、梱包材１により梱包された被梱包物１０を荷台２１からずり下ろす際に生じる応力に起因して被梱包物１０が変形又は損傷等してしまうのを防止することが容易になる。また、梱包材１によって梱包された被梱包物１０の積み下ろしをこのようにして行った場合、少ない人手でも積み下ろしを容易に行うことができる。したがって、以上のように構成された梱包材１によれば、被梱包物１０を少ない人手で安全に、かつ、高い信頼性の下に運搬することが容易になる。
【００３５】
また、運搬時等には、折り返し部１２０を折り返さないことで、折り返し部１２０を被梱包物１０の側面を覆うために用いることができる。そして、積み下ろし時等の被梱包物１０の側面の保護を強化すべき時には、折り返し部１２０を折り返して蛇腹状に折りたたみ、外装材１００の厚みを部分的に増すことができる。このように、折り返し部１２０に、被梱包物１０の側面を覆う役目と、特に荷台２１の縁部にから下ろす際のクッションとなる補強部としての役目の２つの役目を担わせることができる。
【００３６】
したがって、補強のための専用の部材を追加することなく、必要な時には外装材１００の側面を補強することができ、被梱包物１０の運搬後には廃却される梱包材１に必要な構成材の量を減らし、コスト及び環境負荷を低減することが可能である。
【００３７】
次に、図９から図１１を参照しながら、この発明の実施の形態１に係る梱包材１の変形例について説明する。まず、図９に示すのは、第１の変形例である。折り返し部１２０を補強部にする際に折り返す回数は、これまでに示した構成例のものに限られない。すなわち、折り返し部１２０を補強部にする際に折り返す回数を変化させてもよい。
【００３８】
この第１の変形例は、折り返し部１２０を補強部にする際に折り返す回数を、これまでに示した構成例のものより少なくしたものである。なお、このような第１の変形例においても、折り返し部１２０を折り返す幅ｗ１は、被梱包物１０の全幅Ｗｈｉの１／４以下とすることが好ましい。
【００３９】
このような第１の変形例においても、これまでに示した構成例のものと同様の効果を奏することができる。さらに、折り返し部１２０を折り返して補強部にする際の折り返し回数を少なくすることで、折り返し部１２０を折り返して補強部にする際の作業量及び必要な労力を低減することができる。
【００４０】
次に、図１０に示すのは、第２の変形例である。これまでに示した構成例では、外装材１００が側面の全てを覆う断面ロ字状であったのに対し、この第２の変形例は、外装材１００を２つに分割し、それぞれの外装材１００を断面コ字状としたものである。すなわち、この第２の変形例においては、１つの外装材１００により、被梱包物１０の１つの側面と当該側面に隣接する稜部分とが覆われる。また、もう１つの外装材１００により、被梱包物１０の対向する側面とこの対向する側面に隣接する稜部分とが覆われる。
【００４１】
また、図１１に示すのは、第３の変形例である。この第３の変形例は、外装材１００を４つに分割し、それぞれの外装材１００は断面Ｌ字状としたものである。すなわち、この第２の変形例においては、１つの外装材１００により、被梱包物１０の４つの側面のそれぞれの間に形成された４つの稜部分に対して、１つずつ外装材１００があてがわれる。そして、これら４つの外装材１００により、被梱包物１０の４つの稜部分がそれぞれ覆われる。
【００４２】
これらの図１０及び図１１に示すような第２の変形例及び第３の変形例においても、これまでに示した構成例のものと同様の効果を奏することができる。さらに、運搬時等に特に応力のかかりやすい被梱包物１０の稜部分を中心に外装材１００で保護できるとともに、必要な外装材１００の量を減らすことができる。
【００４３】
なお、以上の説明においては、外装材１００とキャップ部材２００とが互いに別体に作製された梱包材１例示したが、この発明の実施の形態１に係る梱包材１においては、キャップ部材２００が開閉自在な状態で外装材１００と一体化されたものであってもよい。
【００４４】
また、この発明の梱包材１より梱包される被梱包物１０は、ここで例示した貯湯式給湯機に限定されるものではない。立設状態で使用される縦長形状の種々の機器、特に、少ない人手で運搬車両２０の荷台２１から積み下ろしする際には荷台２１の縁部に梱包材１を当てて下ろすことが望まれる種々の機器を、被梱包物１０とするのに好適である。
【００４５】
なお、梱包材１を組み立てる際の作業性の向上及び梱包材１の軽量化等を図るうえからは、少なくとも外装材１００及びキャップ部材２００を例えば段ボール又はプラスチック段ボール等の軽い材料によって作製することが好ましい。また、梱包材１の使用後の廃棄処分を簡便にするうえからは、少なくとも外装材１００及びキャップ部材２００を段ボールによって作製することが好ましい。
【００４６】
また、以上においては、折り返し部１２０を、交互に山折り、谷折りして、蛇腹状に折りたたんで補強部としての厚みを得るようにした場合について説明した。この点に関しては、折り返し部１２０を、巻き込むように複数回谷折りし、ロール状に折り込んで補強部としての厚みを得るようにしてもよい。
【００４７】
実施の形態２．
図１２及び図１３は、この発明の実施の形態２に係るもので、図１２は梱包材で被梱包物を梱包し折り返し部を折り返した状態の正面図、図１３は梱包材で被梱包物を梱包し折り返し部を折り返した状態の横断面図である。
【００４８】
ここで説明する実施の形態２は、前述した実施の形態１の構成において、折り返された状態の折り返し部を梱包用バンド５００で保持可能にしたものである。以下、この実施の形態２に係る梱包材について、実施の形態１との相違点を中心に説明する。
【００４９】
すなわち、図１２及び図１３に示すように、第１の切り込み部１１１及び第２の切り込み部１１２で外装材１００が切り離された状態で、一対の折り返し部１２０のそれぞれを折り返し蛇腹状に折りたたまれる。そうすると、外装材１００の一側面における幅方向の両縁部のそれぞれに上下方向にわたって、蛇腹状に折りたたまれた折り返し部１２０が補強部として配置される。
【００５０】
そして、この実施の形態２に係る梱包材１においては、蛇腹状に折りたたまれた折り返し部１２０のそれぞれの外側に、梱包用バンド５００が掛け回される。このように、蛇腹状に折りたたまれた折り返し部１２０の外側から、梱包用バンド５００で押さえることで、折り返された状態の折り返し部１２０を梱包用バンド５００で保持される。
なお、他の構成については実施の形態１と同様であり、ここでは、その説明を省略する。
【００５１】
以上のように構成された梱包材１は、実施の形態１と同様の効果を奏することができるのに加えて、梱包用バンド５００により折り返し部１２０を折り返した状態で保持することができる。したがって、意図せずに折り返し部１２０の折り返しが緩んで、折り返し部１２０が補強部として十分機能しなくなってしまうことを抑制することができる。
【００５２】
実施の形態３．
図１４及び図１５は、この発明の実施の形態３に係るもので、図１４は梱包材で被梱包物を梱包し折り返し部を折り返した状態の横断面図、図１５は梱包材で被梱包物を梱包し折り返し部を折り返した状態の縦断面図である。
【００５３】
ここで説明する実施の形態３は、前述した実施の形態１の構成において、折り返し部を、外装材のベース部と被梱包物との間に折り返すようにしたものである。以下、この実施の形態３に係る梱包材について、実施の形態１との相違点を中心に説明する。
【００５４】
すなわち、図１４及び図１５に示すように、外装材１００の折り返し部１２０が形成された側面と被梱包物１０との間には、蛇腹状に折りたたまれた折り返し部１２０が入ることができる程度の寸法の間隙が形成されている。折り返し部１２０を折り返す際には、実施の形態１とは山折りと谷折りとを逆にして、折り返し部１２０を蛇腹状に折りたたむ。そして、蛇腹状に折りたたんだ折り返し部１２０を外装材１００と被梱包物１０との間に形成された間隙に入れる。
【００５５】
このように、折り返し部１２０を、外装材１００のベース部１３０と被梱包物１０との間に折り返すようにすることで、外装材１００の折り返し部１２０が形成された側面と、被梱包物１０の側面との側に、蛇腹状に折りたたまれた折り返し部１２０が配置される。この状態においては、実施の形態１と同様に、折り返し部１２０が折りたたまれて厚みが増された部分がクッションとなる補強部として働き、被梱包物１０にかかる応力を抑えることができる。
なお、他の構成については実施の形態１と同様であり、ここでは、その説明を省略する。
【００５６】
以上のように構成された梱包材１は、実施の形態１と同様の効果を奏することができるのに加えて、梱包用バンド５００を用いることなく、折り返し部１２０を折り返した状態で保持することができる。したがって、特に、実施の形態１で説明した梱包状態保持手段として梱包用バンド５００を用いない構成を採用している場合には、梱包用バンド５００を備えず梱包材１に必要な材料を減らしても、折り返し部１２０を折り返した状態で保持することができる。
【００５７】
実施の形態４．
図１６及び図１７は、この発明の実施の形態４に係るもので、図１６は梱包材で被梱包物を梱包した状態の正面図、図１７は梱包材で被梱包物を梱包し折り返し部を折り返した状態の縦断面図である。
【００５８】
ここで説明する実施の形態４は、前述した実施の形態１から実施の形態３のいずれか構成において、折り返し部を、外装材における被梱包物の下側部分にだけ設けるようにしたものである。以下、この実施の形態４に係る梱包材について、実施の形態１との相違点を中心に説明する。
【００５９】
実施の形態１で説明したように、折り返し部１２０を折り返して形成した補強部は、主に運搬車両２０の荷台２１からずり下ろす際に、梱包材１が荷台２１の縁部と当たる部分を保護するためのものである。また、荷台２１から下ろす際には、被梱包物１０の下側すなわち梱包用固定台３００の側から下ろす。そうすると、荷台２１からずり下ろす際に荷台２１の縁部に当たるのは、外装材１００における荷台２１の高さより下側の部分であって、荷台２１の高さより上側の外装材１００の部分は、荷台２１の縁部に当たる可能性は低いと言える。
【００６０】
そこで、この実施の形態４においては、折り返し部１２０を、外装材１００における荷台２１の高さより下側の部分、すなわち、外装材１００における被梱包物１０の下側部分にだけ設けている。そして、外装材１００における荷台２１の高さより上側の部分、すなわち、外装材１００における被梱包物１０の上側部分には、折り返し部１２０を設けていない。
【００６１】
また、第１の切り込み部１１１は、折り返し部１２０と同じ上下方向の範囲にのみに、すなわち、外装材１００における荷台２１の高さより下側の部分、換言すれば外装材１００における被梱包物１０の下側部分にだけ形成されている。
なお、他の構成については実施の形態１から実施の形態３のいずれかと同様であり、ここでは、その説明を省略する。
【００６２】
以上のように構成された梱包材においては、実施の形態１から実施の形態３のいずれかと同様の効果を奏することができるのに加えて、折り返し部１２０の補強部として機能は十分に確保しつつ、折り返し部１２０を折り返す際の折り返し線の長さが短くなり、折り返し部１２０を折り返す作業をより容易に行うことができる。
【００６３】
実施の形態５．
図１８から図２１は、この発明の実施の形態５に係るもので、図１８は梱包材で被梱包物を梱包した状態の正面図、図１９は梱包材で被梱包物を梱包し折り返し部を折り返した状態の縦断面図、図２０は梱包材の変形例を説明する正面図、図２１は梱包材の変形例を説明する縦断面図である。
【００６４】
ここで説明する実施の形態５は、前述した実施の形態１から実施の形態４のいずれかの構成において、折り返し部を、被梱包物の上下方向において複数に分割して形成したものである。以下、この実施の形態５に係る梱包材について、実施の形態１との相違点を中心に説明する。
【００６５】
すなわち、図１８及び図１９に示すように、この実施の形態５に係る梱包材１においては、外装材１００に、下段折り返し部１２１と上段折り返し部１２２とが、それぞれ一対ずつ形成されている。これらの下段折り返し部１２１及び上段折り返し部１２２は、折り返し部１２０を分割したものである。以降においては、下段折り返し部１２１と上段折り返し部１２２とを合わせて、折り返し部１２０と呼ぶ。
【００６６】
下段折り返し部１２１と上段折り返し部１２２とは、上下方向に並んで配置される。すなわち、下段折り返し部１２１は、上段折り返し部１２２より下側に配置される。逆に言えば、上段折り返し部１２２は、下段折り返し部１２１より上側に配置される。
【００６７】
このように、図１８及び図１９に示す例においては、一対の折り返し部１２０のそれぞれは、下段折り返し部１２１と上段折り返し部１２２とに、すなわち２つに分割されている。つまり、折り返し部１２０は、上下方向において複数に分割して形成される。
【００６８】
なお、一対の折り返し部１２０の一方のみを上下方向において分割してもよいし、一対の折り返し部１２０の両方を上下方向において分割してもよい。他の構成については実施の形態１から実施の形態４のいずれかと同様であり、ここでは、その説明を省略する。
【００６９】
以上のように構成された梱包材１においては、実施の形態１から実施の形態４のいずれかと同様の効果を奏することができるのに加えて、折り返し部１２０の全体を折り返す際の折り返し線の長さと比較して、下段折り返し部１２１及び上段折り返し部１２２のそれぞれを折り返す際の折り返し線の長さが短くなり、折り返し部１２０を折り返す作業をより容易に行うことができる。
【００７０】
また、実施の形態４で説明したように、折り返し部１２０を補強部として使用する際には、少なくとも外装材１００における荷台２１の高さより下側の部分が補強できればよい。折り返し部１２０を上下方向において分割することで、梱包材１が積載される荷台２１の高さに合わせて必要な高さの折り返し部１２０だけ折り返せばいいため、無駄なく折り返り作業を行うことができる。
【００７１】
図２０及び図２１に示すのは、この実施の形態５に係る梱包材１の変形例である。図１８及び図１９に示した例は、折り返し部１２０を２つに分割したものであったが、折り返し部１２０の分割数は２に限られない。図２０及び図２１に示す変形例は、折り返し部１２０の分割数を３にした場合である。
【００７２】
すなわち、この変形例においては、外装材１００に、下段折り返し部１２１と中段折り返し部１２３と上段折り返し部１２２とが、それぞれ一対ずつ形成されている。中段折り返し部１２３は、下段折り返し部１２１と上段折り返し部１２２との間に配置される。したがって、下段折り返し部１２１と中段折り返し部１２３と上段折り返し部１２２とは、上下方向に並んで配置される。
【００７３】
以上のように構成された梱包材１においては、図１８及び図１９に示した例と同様の効果を奏することができる。また、図１８及び図１９に示した例と比較して、下段折り返し部１２１、上段折り返し部１２２及び中段折り返し部１２３のそれぞれを折り返す際の折り返し線の長さが、さらに短くなり、折り返し部１２０を折り返す作業をさらに容易に行うことができる。
【００７４】
実施の形態６．
図２２から図２５は、この発明の実施の形態６に係るもので、図２２は梱包材で被梱包物を梱包した状態の正面図、図２３は梱包材で被梱包物を梱包し折り返し部を折り返した状態の縦断面図、図２４は梱包材の変形例を説明する正面図、図２５は梱包材の変形例を説明する縦断面図である。
【００７５】
ここで説明する実施の形態６は、前述した実施の形態５の構成において、下段折り返し部１２１の折り返し後の厚みが、上段折り返し部１２２の折り返し後の厚みより大きくなるように形成したものである。以下、この実施の形態６に係る梱包材について、実施の形態５との相違点を中心に説明する。
【００７６】
すなわち、図２２及び図２３に示すように、この実施の形態６に係る梱包材１においては、前述した実施の形態５と同様に、外装材１００に、下段折り返し部１２１と上段折り返し部１２２とが、それぞれ一対ずつ形成されている。これらの下段折り返し部１２１及び上段折り返し部１２２は、折り返し部１２０を分割したものである。
【００７７】
下段折り返し部１２１と上段折り返し部１２２とは、上下方向に並んで配置される。そして、この実施の形態６においては、上下方向における下段の折り返し部１２０すなわち下段折り返し部１２１の折り返し後の厚みが、上下方向における上段の折り返し部１２０すなわち上段折り返し部１２２の折り返し後の厚みより大きくなるよう形成される。
【００７８】
ここで、折り返し部１２０の折り返し後の厚みは、折り返し部１２０の折り返しの回数で決まる。すなわち、折り返し部１２０の折り返しの回数が多いほど折り返し後に厚くなる。したがって、この実施の形態６においては、下段折り返し部１２１の折り返し回数の方が上段折り返し部１２２の折り返し回数より多くなるように形成されていると言い換えることができる。
なお、他の構成については実施の形態５と同様であり、ここでは、その説明を省略する。
【００７９】
前述した実施の形態５の構成においては、折り返し部１２０を下段折り返し部１２１と上段折り返し部１２２とに分割しているため、特に図１９に示すように、下段折り返し部１２１と上段折り返し部１２２との間に溝のような凹部が形成される。このため、運搬車両２０の荷台２１の縁部に折りたたまれた折り返し部１２０が当たるようにして荷台２１からずり下ろす際に、荷台２１の縁部が下段折り返し部１２１と上段折り返し部１２２との間の凹部に引っかかる可能性がある。
【００８０】
これに対し、以上のように構成された実施の形態６に係る梱包材１においては、折り返し後の下段折り返し部１２１は、折り返し後の上段折り返し部１２２より厚いため、荷台２１の縁部が厚い下段折り返し部１２１から薄い上段折り返し部１２２へと前記凹部を越えて円滑にずれていきやすい。したがって、実施の形態５と同様の効果を奏することができるのに加えて、分割された折り返し部１２０の間に形成される凹部に運搬車両２０の荷台２１の縁部が引っかかることを抑制し、少ない人手でも積み下ろしを円滑かつ容易に行うことができる。
【００８１】
図２４及び図２５に示すのは、この実施の形態６に係る梱包材１の変形例である。この変形例は、前述した実施の形態５の変形例において、下段折り返し部１２１の折り返し後の厚みが、上段折り返し部１２２の折り返し後の厚みより大きくなるように形成したものである。すなわち、図２４及び図２５に示す変形例は、折り返し部１２０の分割数を３にした場合である。
【００８２】
この変形例においては、外装材１００に、下段折り返し部１２１と中段折り返し部１２３と上段折り返し部１２２とが、それぞれ一対ずつ形成されている。中段折り返し部１２３は、下段折り返し部１２１と上段折り返し部１２２との間に配置される。そして、中段折り返し部１２３の折り返し後の厚みが上段折り返し部１２２の折り返し後の厚みより大きく、かつ、下段折り返し部１２１の折り返し後の厚みが中段折り返し部１２３の折り返し後の厚みより大きくなるように形成される。換言すれば、中段折り返し部１２３の折り返し回数の方が上段折り返し部１２２の折り返し回数より多くなり、かつ、下段折り返し部１２１の折り返し回数の方が中段折り返し部１２３の折り返し回数より多くなるように形成されている。
【００８３】
以上のように構成された梱包材１においても、図２２及び図２３に示した例と同様の効果を奏することができる。
【００８４】
実施の形態７．
図２６及び図２７は、この発明の実施の形態７に係るもので、図２６は梱包材で被梱包物を梱包し折り返し部を折り返した状態の正面図、図２７は梱包材の変形例を説明する正面図である。
【００８５】
ここで説明する実施の形態７は、前述した実施の形態５又は実施の形態６の構成において、一対の折り返し部１２０の一方と他方とで、被梱包物１０の上下方向における分割位置が異なるようにしたものである。以下、この実施の形態７に係る梱包材について、実施の形態５との相違点を中心に説明する。
【００８６】
すなわち、図２６に示すように、この実施の形態７に係る梱包材１においては、前述した実施の形態５と同様に、外装材１００に、下段折り返し部１２１と上段折り返し部１２２とが、それぞれ一対ずつ形成されている。これらの下段折り返し部１２１及び上段折り返し部１２２は、折り返し部１２０を分割したものである。
【００８７】
下段折り返し部１２１と上段折り返し部１２２とは、上下方向に並んで配置される。そして、この実施の形態６においては、一対のうちの一方の下段折り返し部１２１と上段折り返し部１２２との間に形成される分割の位置と、一対のうちの他方の下段折り返し部１２１と上段折り返し部１２２との間に形成される分割の位置とが、異なるように配置される。図２６に示す例では、一対のうちの一方の折り返し部１２０の分割位置と、他方の折り返し部１２０の分割位置とが、δ１だけ上下方向にずれて配置されている。
なお、他の構成については実施の形態５又は実施の形態６と同様であり、ここでは、その説明を省略する。
【００８８】
以上のように構成された実施の形態７に係る梱包材１においては、実施の形態５又は実施の形態６と同様の効果を奏することができるのに加えて、運搬車両２０の荷台２１の縁部に折りたたまれた折り返し部１２０が当たるようにして荷台２１からずり下ろす際に、荷台２１の縁部が一対の下段折り返し部１２１と一対の上段折り返し部１２２との間にそれぞれ形成される両方の凹部に同時に引っかかることを抑制することができる。したがって、少ない人手でも積み下ろしを円滑かつ容易に行うことができる。
【００８９】
図２７に示すのは、この実施の形態７に係る梱包材１の変形例である。この変形例は、前述した実施の形態５の変形例において、一対の折り返し部１２０の一方と他方とで、上下方向における分割位置が異なるようにしたものである。すなわち、図２７に示す変形例は、折り返し部１２０の分割数を３にした場合である。
【００９０】
この変形例においては、外装材１００に、下段折り返し部１２１と中段折り返し部１２３と上段折り返し部１２２とが、それぞれ一対ずつ形成されている。中段折り返し部１２３は、下段折り返し部１２１と上段折り返し部１２２との間に配置される。
【００９１】
そして、一対のうちの一方の下段折り返し部１２１と中段折り返し部１２３との間に形成される分割の位置と、一対のうちの他方の下段折り返し部１２１と中段折り返し部１２３との間に形成される分割の位置とが、異なるように配置される。また、一対のうちの一方の中段折り返し部１２３と上段折り返し部１２２との間に形成される分割の位置と、一対のうちの他方の中段折り返し部１２３と上段折り返し部１２２との間に形成される分割の位置とも、異なるように配置される。
【００９２】
図２７に示す例では、一対のうちの一方の下段折り返し部１２１と中段折り返し部１２３との分割位置と、一対のうちの他方の下段折り返し部１２１と中段折り返し部１２３との分割位置とが、δ２だけ上下方向にずれて配置されている。そして、一対のうちの一方の中段折り返し部１２３と上段折り返し部１２２との分割位置と、一対のうちの他方の中段折り返し部１２３と上段折り返し部１２２との分割位置とが、δ３だけ上下方向にずれて配置されている。なお、δ２とδ３とは等しくしても異ならせてもよい。
【００９３】
以上のように構成された梱包材１においても、図２５に示した例と同様の効果を奏することができる。
【００９４】
実施の形態８．
図２８及び図３１は、この発明の実施の形態８に係るもので、図２８は梱包材で被梱包物を梱包した状態の正面図、図２９は梱包材で被梱包物を梱包し折り返し部を折り返した状態の横断面図、図３０は梱包材の第１の変形例を説明する正面図、図３１は梱包材の第２の変形例を説明する正面図である。
【００９５】
ここで説明する実施の形態８は、前述した実施の形態１から実施の形態７のいずれかの構成に加えて、折り返し後の折り返し部の一部が差し込まれるスリットを外装材に形成したものである。以下、この実施の形態８に係る梱包材について、実施の形態１との相違点を中心に説明する。
【００９６】
すなわち、図２８に示すように、梱包材１の外装材１００には、一対のスリット１５０が形成されている。一対のスリット１５０のそれぞれは、一対の折り返し部１２０のそれぞれに対応している。図２８に示す例では、一対のスリット１５０は、折り返し部１２０より幅方向における反中央側のベース部１３０にそれぞれ１つずつ配置されている。各スリット１５０は、上下方向に沿って配置される。
【００９７】
そして、一対の折り返し部１２０の幅方向における中央側の端部には、差し込み部１２４が形成されている。以上のように構成された梱包材１においては、実施の形態１等と同様にして、折り返し部１２０を折り返し、折り返し部１２０が蛇腹状に折りたたまれる。そして、図２９に示すように、スリット１５０に、折り返し後の折り返し部１２０の一部すなわち差し込み部１２４が差し込まれる。
なお、他の構成については実施の形態１から実施の形態７のいずれかと同様であり、ここでは、その説明を省略する。
【００９８】
以上のように構成された梱包材１は、実施の形態１から実施の形態７のいずれかと同様の効果を奏することができるのに加えて、折り返し後の折り返し部１２０の差し込み部１２４を、スリット１５０に差し込んで固定することで、折り返し部１２０を折り返した状態で保持することができる。したがって、意図せずに折り返し部１２０の折り返しが緩んで、折り返し部１２０が補強部として十分機能しなくなってしまうことを抑制することができる。
【００９９】
また、前述した実施の形態２のような梱包用バンド５００で保持する構成、又は、前述した実施の形態２のような折り返し部１２０を外装材１００と被梱包物１０との間に折り返した構成を備えることなく、折り返し部１２０を折り返した状態で保持することができる。さらに、実施の形態２又は実施の形態３の構成と実施の形態８の構成とを組み合わせて複合的に実施することで、折り返し部１２０を折り返した状態で、より強固に保持することが可能である。
【０１００】
次に、図３０及び図３１を参照しながら、この発明の実施の形態８に係る梱包材１の変形例について説明する。まず、図３０に示すのは、第１の変形例である。前述した図２９に示す構成例では、折り返し部１２０の先端の上下方向全てにわたって差し込み部１２４を形成している。これに対し、図３０に示す第１の変形例は、折り返し部１２０の先端の上下方向の一部分に差し込み部１２４を形成したものである。この図３０に示す例では、１つの折り返し部１２０につき、折り返し部１２０の先端における上下の端部と、上下方向における中央部の計３か所に差し込み部１２４を形成している。また、これに対応して、スリット１５０も１つの折り返し部１２０につき３か所ずつ形成されている。
【０１０１】
図３１に示すのは、第２の変形例である。この第２の変形例では、折り返し部１２０の上端部における幅方向の中央側から上方に向けて突出するように差し込み部１２４が形成されている。また、折り返し部１２０の下端部における幅方向の中央側から下方に向けて突出するように差し込み部１２４が形成されている。そして、これらの差し込み部１２４に対応して、外装材１００のベース部１３０には、計４つのスリット１５０が形成されている。これらの各スリット１５０は、幅方向に沿って配置される。
【０１０２】
これらの図３０及び図３１に示した変形例においても、図２８及び図２９に示した構成例のものと同様の効果を奏することができる。
【符号の説明】
【０１０３】
１    梱包材
１０    被梱包物
２０    運搬車両
２１    荷台
１００    外装材
１１１    第１の切り込み部
１１２    第２の切り込み部
１２０    折り返し部
１２１    下段折り返し部
１２２    上段折り返し部
１２３    中段折り返し部
１２４    差し込み部
１３０    ベース部
１４０    折り返し線
１５０    スリット
２００    キャップ部材
２１０    上面部
２２０    かぶせ部
３００    梱包用固定台
４００    緩衝材
５００    梱包用バンド
【図１】
2018076089.tif 000003
【図２】
2018076089.tif 000004
【図３】
2018076089.tif 000005
【図４】
2018076089.tif 000006
【図５】
2018076089.tif 000007
【図６】
2018076089.tif 000008
【図７】
2018076089.tif 000009
【図８】
2018076089.tif 000010
【図９】
2018076089.tif 000011
【図１０】
2018076089.tif 000012
【図１１】
2018076089.tif 000013
【図１２】
2018076089.tif 000014
【図１３】
2018076089.tif 000015
【図１４】
2018076089.tif 000016
【図１５】
2018076089.tif 000017
【図１６】
2018076089.tif 000018
【図１７】
2018076089.tif 000019
【図１８】
2018076089.tif 000020
【図１９】
2018076089.tif 000021
【図２０】
2018076089.tif 000022
【図２１】
2018076089.tif 000023
【図２２】
2018076089.tif 000024
【図２３】
2018076089.tif 000025
【図２４】
2018076089.tif 000026
【図２５】
2018076089.tif 000027
【図２６】
2018076089.tif 000028
【図２７】
2018076089.tif 000029
【図２８】
2018076089.tif 000030
【図２９】
2018076089.tif 000031
【図３０】
2018076089.tif 000032
【図３１】
2018076089.tif 000033